(57)【要約】  薄型でありながら優れた発光性能を有する発光装置を提供する。この発光装置は、複数の第１の発光部と第１の導光板と複数の第２の発光部と第２の導光板とを有する。第１の発光部は第１の方向に並ぶと共に第１の光を発する。第１の導光板は第１の方向に沿って延在し第１の発光部に対向する第１の端面と、第１の表面とを含み、第１の端面から入射する第１の光の一部を、第１の端面から遠ざかる第２の方向に沿って導くと共に第１の表面から出射する。第２の発光部は第２の方向に並ぶと共に第２の光を発する。第２の導光板は第２の方向に沿って延在し第２の発光部に対向する第２の端面と、第２の表面とを含み、第２の端面から入射する第２の光の一部を、第１の方向に沿って導くと共に第２の表面から出射する。第１の表面と第２の表面とが互いに重畳するように第１の導光板と第２の導光板とが積層されている。
2017068845.tif 000002
【特許請求の範囲】
【請求項１】
第１の方向に並ぶと共に第１の光をそれぞれ発する複数の第１の発光部と、
前記第１の方向に沿って延在し前記第１の発光部に対向する第１の端面と、第１の表面とを含み、前記第１の端面から入射する前記第１の光の一部を、前記第１の端面から遠ざかる第２の方向に沿って導くと共に前記第１の表面から出射する第１の導光板と、
前記第２の方向に並ぶと共に第２の光をそれぞれ発する複数の第２の発光部と、
前記第２の方向に沿って延在し前記第２の発光部に対向する第２の端面と、第２の表面とを含み、前記第２の端面から入射する前記第２の光の一部を、前記第１の方向に沿って導くと共に前記第２の表面から出射する第２の導光板と
を有し、
前記第１の表面と前記第２の表面とが互いに重畳するように、前記第１の導光板と前記第２の導光板とが積層されている
発光装置。
【請求項２】
前記第１の導光板は、前記第１の表面と対向すると共に前記第１の光の他の一部が散乱される第１の散乱構造を有する第１の裏面をさらに含み、
前記第２の導光板は、前記第２の表面と対向すると共に前記第２の光の他の一部が散乱される第２の散乱構造を有する第２の裏面をさらに含み、
前記第１の散乱構造と前記第２の散乱構造とが互いに重畳するように、前記第１の導光板と前記第２の導光板とが積層されている
請求項１記載の発光装置。
【請求項３】
前記第１の散乱構造により形成される第１の散乱光の輝度分布と、前記第２の散乱構造により形成される第２の散乱光の輝度分布とが互いに異なる
請求項２記載の発光装置。
【請求項４】
前記第１の発光部の点灯および消灯と、前記第２の発光部の点灯および消灯とを独立して行う駆動回路をさらに有する
請求項１記載の発光装置。
【請求項５】
前記第１の方向に並ぶと共に第３の光をそれぞれ発する複数の第３の発光部をさらに有し、
前記第１の導光板は、前記第１の端面と反対側に位置すると共に前記第３の発光部と対向する第３の端面をさらに含み、前記第３の端面から入射する前記第３の光の一部を、前記第２の方向に沿って導くと共に前記第１の表面から出射する
請求項１記載の発光装置。
【請求項６】
前記第２の方向に並ぶと共に第４の光をそれぞれ発する複数の第４の発光部をさらに有し、
前記第２の導光板は、前記第２の端面と反対側に位置すると共に前記第４の発光部と対向する第４の端面をさらに含み、前記第４の端面から入射する前記第４の光の一部を、前記第１の方向に沿って導くと共に前記第２の表面から出射する
請求項５記載の発光装置。
【請求項７】
前記第１の導光板は、前記第１の表面と対向すると共に前記第１の光の他の一部および前記第３の光の他の一部が散乱される第１の散乱構造を有する第１の裏面をさらに含み、
前記第２の導光板は、前記第２の表面と対向すると共に前記第２の光の他の一部および前記第４の光の他の一部が散乱される第２の散乱構造を有する第２の裏面をさらに含み、
前記第１の散乱構造と前記第２の散乱構造とが互いに重畳するように、前記第１の導光
板と前記第２の導光板とが積層されている
請求項６記載の発光装置。
【請求項８】
前記第１の散乱構造により形成される第１の散乱光の輝度分布と、前記第２の散乱構造により形成される第２の散乱光の輝度分布とが互いに異なる
請求項７記載の発光装置。
【請求項９】
前記第１から第４の発光部の点灯および消灯を独立して行う駆動回路をさらに有する
請求項６記載の発光装置。
【請求項１０】
前記第１の表面と対向するように配置された光散乱部材をさらに有する
請求項２記載の発光装置。
【請求項１１】
前記第２の裏面と対向するように配置された光反射部材をさらに有する
請求項１０記載の発光装置。
【請求項１２】
前記第１の表面には、前記第２の方向に伸びる第１の円柱面を含む第１のシリンドリカルレンズが前記第１の方向に複数並んでおり、
前記第２の表面には、前記第１の方向に伸びる第２の円柱面を含む第２のシリンドリカルレンズが前記第２の方向に複数並んでいる
請求項１記載の発光装置。
【請求項１３】
前記第２の方向における前記第１の発光部と前記第１の導光板との第１の距離は、前記第２の方向における前記第１の発光部と前記第２の導光板との第２の距離よりも短く、
前記第２の方向における前記第３の発光部と前記第１の導光板との第３の距離は、前記第２の方向における前記第３の発光部と前記第２の導光板との第４の距離よりも短く、
前記第１の方向における前記第２の発光部と前記第２の導光板との第５の距離は、前記第１の方向における前記第２の発光部と前記第１の導光板との第６の距離よりも短く、
前記第１の方向における前記第４の発光部と前記第２の導光板との第７の距離は、前記第１の方向における前記第４の発光部と前記第１の導光板との第８の距離よりも短い
請求項６記載の発光装置。
【請求項１４】
前記第１の発光部が取り付けられる第１の部分と、前記第２の発光部が取り付けられる第２の部分と、前記第３の発光部が取り付けられる第３の部分と、前記第４の発光部が取り付けられる第４の部分とが順に連結されて４つの隅部を含む矩形状をなすフレームをさらに有し、
前記フレームにおける前記隅部の厚さは、前記フレームにおける前記隅部以外の部分の厚さよりも大きい
請求項６記載の発光装置。
【請求項１５】
液晶パネルと、前記液晶パネルの背面側の発光装置とを備え、
前記発光装置は、
第１の方向に並んで第１の光をそれぞれ発する複数の第１の発光部と、
前記第１の方向に沿って延在し前記第１の発光部に対向する第１の端面と、第１の表面とを含み、前記第１の端面から入射する前記第１の光の一部を、前記第１の端面から遠ざかる第２の方向に沿って導くと共に前記第１の表面から出射する第１の導光板と、
前記第２の方向に並んで第２の光をそれぞれ発する複数の第２の発光部と、
前記第２の方向に沿って延在し前記第２の発光部に対向する第２の端面と、第２の表面とを含み、前記第２の端面から入射する前記第２の光の一部を、前記第１の方向に沿って導くと共に前記第２の表面から出射する第２の導光板と
を有し、
前記第１の表面と前記第２の表面とが互いに重畳するように、前記第１の導光板と前記第２の導光板とが積層されている
表示装置。
【請求項１６】
発光装置を備え、
前記発光装置は、
第１の方向に並んで第１の光をそれぞれ発する複数の第１の発光部と、
前記第１の方向に沿って延在し前記第１の発光部に対向する第１の端面と、第１の表面とを含み、前記第１の端面から入射する前記第１の光の一部を、前記第１の端面から遠ざかる第２の方向に沿って導くと共に前記第１の表面から出射する第１の導光板と、
前記第２の方向に並んで第２の光をそれぞれ発する複数の第２の発光部と、
前記第２の方向に沿って延在し前記第２の発光部に対向する第２の端面と、第２の表面とを含み、前記第２の端面から入射する前記第２の光の一部を、前記第１の方向に沿って導くと共に前記第２の表面から出射する第２の導光板と
を有し、
前記第１の表面と前記第２の表面とが互いに重畳するように、前記第１の導光板と前記第２の導光板とが積層されている
照明装置。
【発明の詳細な説明】
【技術分野】
【０００１】
本開示は、面光源として利用され得る発光装置、ならびにこれを備えた表示装置および照明装置に関する。
【背景技術】
【０００２】
これまでに、例えば液晶表示装置などの表示装置に搭載されるバックライトとして、あるいは照明装置として、基板上に配列された複数の光源を備えたいわゆる直下型の発光装置が用いられている。このような直下型の発光装置は、発光面内における明部と暗部とのコントラスト比が得やすい。【０００３】
一方、上述のバックライトとして、発光面を有する導光板と、その導光板の端部近傍に配置され、その導光板の端面に光を入射する複数の光源とを備えたいわゆるエッジ型の発光装置も知られている（例えば特許文献１，２参照）。
【先行技術文献】
【特許文献】
【０００４】
【特許文献１】特開２０１１−９２０８号公報
【特許文献２】特開２０１２−１８３０８号公報
【発明の概要】
【０００５】
このようなエッジ型の発光装置は直下型の発光装置よりも薄型化に適していると考えられる。しかしながら、最近では、表示画像の解像度向上や色度および明度のダイナミックレンジの拡大など、表示装置に対しさらなる品質向上が求められている。
【０００６】
したがって、優れた表示性能を有する表示装置を提供することが望ましい。また、そのような表示装置に好適な優れた発光性能を有する発光装置を提供することが望ましい。さらに、そのような優れた発光性能を有する発光装置を備えた照明装置を提供することが望ましい。
【０００７】
本開示の一実施形態としての発光装置は、複数の第１の発光部と、第１の導光板と、複数の第２の発光部と、第２の導光板とを有する。複数の第１の発光部は、第１の方向に並ぶと共に第１の光をそれぞれ発する。第１の導光板は、第１の方向に沿って延在し第１の発光部に対向する第１の端面と、第１の表面とを含み、第１の端面から入射する第１の光の一部を、第１の端面から遠ざかる第２の方向に沿って導くと共に第１の表面から出射する。複数の第２の発光部は、第２の方向に並ぶと共に第２の光をそれぞれ発する。第２の導光板は、第２の方向に沿って延在し第２の発光部に対向する第２の端面と、第２の表面とを含み、第２の端面から入射する第２の光の一部を、第１の方向に沿って導くと共に第２の表面から出射する。また、第１の表面と第２の表面とが互いに重畳するように、第１の導光板と第２の導光板とが積層されている。また、本開示の一実施形態としての表示装置および照明装置は、上記発光装置を備えたものである。
【０００８】
本開示の一実施形態としての発光装置、表示装置および照明装置では、複数の第１の発光部からの第１の光を第２の方向に伝播させて第１の表面から出射する第１の導光板と、複数の第２の発光部からの第２の光を第１の方向に伝播させて第２の表面から出射する第２の導光板とを積層するようにした。このため、複数の第１の発光部の一部または全部と、複数の第２の発光部の一部または全部とが選択的に点灯されることにより、発光面の一部または全部が選択的に発光することとなる。
【０００９】
本開示の一実施形態としての発光装置によれば、発光面内における任意の領域の輝度を制御することができる。このため、この発光装置は、発光面内における明部と暗部とのコントラスト比を向上させ、優れた発光性能を発揮することができる。したがって、このため、この発光装置を用いた表示装置によれば、優れた映像表現を発揮することができる。また、この発光装置を用いた照明装置によれば、対象物に対し、選択的に、より均質な照明を行うことができる。なお、本開示の効果はこれに限定されるものではなく、以下に記載のいずれの効果であってもよい。
【図面の簡単な説明】
【００１０】
【図１Ａ】本開示における第１の実施の形態に係る発光装置の全体構成例を表す分解斜視図である。
【図１Ｂ】図１Ａに示した発光装置の要部の構成を表す平面図である。
【図１Ｃ】図１Ａに示した第１の導光板を拡大して表す断面図である。
【図１Ｄ】図１Ａに示した第１の光源ユニットの構成を表す平面図である。
【図１Ｅ】図１Ａに示した第２の光源ユニットの構成を表す平面図である。
【図１Ｆ】図１Ａに示した発光装置の他の要部を拡大して表す斜視図である。
【図２】図１Ａに示した発光装置の回路構成の概略を表すブロック図である。
【図３Ａ】図１Ａに示したフレームの詳細の構成を表す平面図である。
【図３Ｂ】図３Ａに示したフレームの一部の構成を表す断面図である。
【図３Ｃ】図３Ａに示したフレームの他の一部の構成を表す断面図である。
【図４】図１Ａに示した発光装置の第１の動作状態を表す説明図である。
【図５Ａ】図４に示した第１の動作状態に対応した発光面内の輝度分布を表す特性図である。
【図５Ｂ】図４に示した第１の動作状態に対応した発光面内の輝度分布を表す他の特性図である。
【図６】図１Ａに示した発光装置の第２の動作状態を表す説明図である。
【図７Ａ】図６に示した第２の動作状態に対応した発光面内の輝度分布を表す特性図である。
【図７Ｂ】図６に示した第２の動作状態に対応した発光面内の輝度分布を表す他の特性図である。
【図８Ａ】図１Ａに示した第１の導光板のみからの出射光における平面の輝度分布のシミュレーション結果を表す特性図である。
【図８Ｂ】図１Ａに示した第１の導光板のみからの出射光の輝度分布のシミュレーション結果を表す特性図である。
【図９Ａ】図１Ａに示した第２の導光板のみからの出射光における平面の輝度分布のシミュレーション結果を表す特性図である。
【図９Ｂ】図１Ａに示した第２の導光板のみからの出射光の輝度分布のシミュレーション結果を表す特性図である。
【図１０Ａ】図８Ｂに示した散乱光と図９Ｂに示した散乱光とを合成した光の輝度分布を表す模式図である。
【図１０Ｂ】図８Ｂに示した散乱光と図９Ｂに示した散乱光とを合成した光の輝度分布を表す他の模式図である。
【図１１】図１Ａに示した発光装置の第１変形例を表す斜視図である。
【図１２】本開示の第２の実施の形態に係る表示装置の外観を表す斜視図である。
【図１３】図１２に示した本体部を分解して表す斜視図である。
【図１４】図１３に示したパネルモジュールを分解して表す斜視図である。
【図１５Ａ】本開示の表示装置を搭載したタブレット型端末装置の外観を表す斜視図である。
【図１５Ｂ】本開示の表示装置を搭載した他のタブレット型端末装置の外観を表す斜視図である。
【図１６】本開示の発光装置を備えた第１の照明装置の外観を表す斜視図である。
【図１７】本開示の発光装置を備えた第２の照明装置の外観を表す斜視図である。
【図１８】本開示の発光装置を備えた第３の照明装置の外観を表す斜視図である。
【発明を実施するための形態】
【００１１】
以下、本開示の実施の形態について図面を参照して詳細に説明する。なお、説明は以下の順序で行う。
１．第１の実施の形態
入射光の導光方向の異なる２枚の導光板を積層配置した構造を有する発光装置（図１Ａ〜図１０Ｂ）。
２．第１の実施の形態の第１変形例
光源ユニットの数が削減された構造を有する発光装置（図１１）。
３．第２の実施の形態
液晶表示装置（図１２〜図１４）。
４．表示装置の適用例（図１５Ａ〜図１５Ｂ）
５．照明装置の適用例（図１６〜図１８）
【００１２】
＜１．第１の実施の形態＞
［発光装置１０の構成］
図１Ａは、本開示の第１の実施の形態としての発光装置１０の全体構成を模式的に表す斜視図である。図１Ｂは、発光装置１０の要部を拡大して表す平面図である。図１Ｃは、発光装置１０における導光板１（２）の断面構成を拡大して表す断面図であり、図１Ｂに示したＩＣ−ＩＣ線に沿った矢視方向の断面に相当する。図１Ｄおよび図１Ｅは、それぞれ図１Ａに示した光源ユニット３Ａ，３Ｂおよび光源ユニット４Ａ，４Ｂの構成を表す平面図である。さらに、図１Ｆは、発光装置１０の他の要部を拡大して表す斜視図である。発光装置１０は、例えば、ＸＹ平面を発光面とする透過型の液晶パネルを背後から照明するバックライトとして、あるいは室内等において照明装置として用いられるものである。
【００１３】
発光装置１０は、互いに重なり合うように配置された導光板１および導光板２と、導光板１の近傍に配置された光源ユニット３Ａ，３Ｂと、導光板２の近傍に配置された光源ユニット４Ａ，４Ｂとを有している。発光装置１０は、さらに、導光板１および導光板２を挟むように設けられた光学部材５および反射部材６を有している。発光装置１０は、さらに、導光板１、導光板２、光源ユニット３Ａ，３Ｂ、光源ユニット４Ａ，４Ｂ、光学部材５および反射部材６を収容して保持するフレーム７を有している。
【００１４】
（導光板１および導光板２）
導光板１は、発光面に直交する前後方向（Ｚ軸方向）において対向する１対の主面としての表面１Ａおよび裏面１Ｂと、表面１Ａの４辺と裏面１Ｂの４辺とを繋ぐ端面１３Ａ，１３Ｂおよび側面１４Ａ，１４Ｂ（図１Ｂ参照）とからなる略直方体の板状部材である。端面１３Ａと端面１３ＢとがＹ軸方向において対向する位置にあり、側面１４Ａと側面１４ＢとがＸ軸方向において対向する位置にある。ここで、２つの端面１３Ａ，１３Ｂが、それぞれ光源ユニット３Ａ，３Ｂからの光が入射する入射面として機能する。また、導光板１における表面１Ａおよび裏面１Ｂは、端面１３Ａ，１３Ｂから入射した光源ユニット３Ａ，３Ｂからの光が出射する出射面として機能する。表面１Ａと裏面１Ｂとは互いに平行であることが望ましい。
【００１５】
導光板１は、光源ユニット３Ａ，３Ｂから端面１３Ａ，１３Ｂに入射した光を表面１Ａへと導くものであり、例えば、ポリカーボネート樹脂（ＰＣ）またはアクリル樹脂（例えば、ＰＭＭＡ（ポリメチルメタクリレート））などの透明熱可塑性樹脂を主に含んで構成されている。表面１Ａには、導光板１内を伝播する光の直進性を向上させるために、例えば、Ｙ軸方向に伸びる微細な凸部１１Ａ（図１Ｃ参照）がＸ軸方向に複数並んでなる凹凸パターン１１が設けられているとよい。凸部１１Ａは例えばＹ軸方向に伸びる円柱面を含むシリンドリカルレンズであり、その場合、凹凸パターン１１はレンチキュラーレンズである。一方、裏面１Ｂには、導光板１内を伝播する光を散乱し、均一化させる散乱部として、例えば、散乱剤が離散的に印刷されてなる散乱構造１２が形成されている。なお、散乱構造１２は、散乱剤のパターン印刷に代えて、フィラーを含んだ部位を設けたものであってもよいし、表面を部分的に粗面化したものであってもよい。
【００１６】
このような構成により、導光板１は、端面１３Ａから入射する光源ユニット３Ａからの光の一部を、端面１３Ａから遠ざかるように＋Ｙ方向に沿って導くと共に表面１Ａから出射するように機能する。また、導光板１は、端面１３Ｂから入射する光源ユニット３Ｂからの光の一部を、端面１３Ｂから遠ざかるように−Ｙ方向に沿って導くと共に表面１Ａから出射するように機能する。その際、散乱構造１２が、導光板１内を伝播する光を散乱し、均一化させるように機能する。
【００１７】
導光板２は、発光面に直交する前後方向（Ｚ軸方向）において対向する１対の主面としての表面２Ａおよび裏面２Ｂと、表面２Ａの４辺と裏面２Ｂの４辺とを繋ぐ側面２３Ａ，２３Ｂおよび端面２４Ａ，２４Ｂ（図１Ｂ参照）とからなる略直方体の板状部材である。側面２３Ａと側面２３ＢとがＹ軸方向において対向する位置にあり、端面２４Ａと端面２４ＢとがＸ軸方向において対向する位置にある。ここで、２つの端面２４Ａ，２４Ｂが、それぞれ光源ユニット４Ａ，４Ｂからの光が入射する入射面として機能する。また、導光板２における表面２Ａおよび裏面２Ｂは、端面２４Ａ，２４Ｂから入射した光源ユニット４Ａ，４Ｂからの光が出射する出射面として機能する。表面２Ａと裏面２Ｂとは互いに平行であることが望ましい。
【００１８】
導光板２は、光源ユニット４Ａ，４Ｂから端面２４Ａ，２４Ｂに入射した光を表面２Ａへと導くものであり、例えば、ポリカーボネート樹脂（ＰＣ）またはアクリル樹脂（例えば、ＰＭＭＡ（ポリメチルメタクリレート））などの透明熱可塑性樹脂を主に含んで構成されている。表面２Ａには、導光板２内を伝播する光の直進性を向上させるために、例えば、Ｘ軸方向に伸びる微細な凸部２１Ａ（図１Ｃ参照）がＹ軸方向に複数並んでなる凹凸パターン２１が設けられているとよい。凸部２１Ａは例えばＸ軸方向に伸びる円柱面を含むシリンドリカルレンズであり、その場合、凹凸パターン２１はレンチキュラーレンズである。一方、裏面２Ｂには、導光板２内を伝播する光を散乱し、均一化させる散乱部として、例えば、散乱剤が離散的に印刷されてなる散乱構造２２が形成されている。なお、散乱構造２２は、散乱剤のパターン印刷に代えて、フィラーを含んだ部位を設けたものであってもよいし、表面を部分的に粗面化したものであってもよい。
【００１９】
このような構成により、導光板２は、端面２４Ａから入射する光源ユニット４Ａからの光の一部を、端面２４Ａから遠ざかるように−Ｘ方向に沿って導くと共に表面２Ａから出射するように機能する。また、導光板２は、端面２４Ｂから入射する光源ユニット４Ｂからの光の一部を、端面２４Ｂから遠ざかるように＋Ｘ方向に沿って導くと共に表面２Ａから出射するように機能する。その際、散乱構造２２が、導光板２内を伝播する光を散乱し、均一化させるように機能する。
【００２０】
導光板１と導光板２とは、表面１Ａと表面２Ａとが互いに重畳するように（あるいは裏面１Ｂの散乱構造１２と裏面２Ｂの散乱構造２２とが互いに重畳するように）積層されている。
【００２１】
散乱構造１２により形成される散乱光の輝度分布と、散乱構造２２により形成される散乱光の輝度分布とは互いに同じであってもよいが、互いに異なるようにしてもよい。例えば光源ユニット３Ａ，３Ｂのみを点灯させた場合と、光源ユニット４Ａ，４Ｂのみを点灯させた場合とで、発光装置１０から発光される光のＸＹ面内での輝度分布を異ならせることができるからである。そのような発光装置１０を例えば表示装置に搭載した場合、その表示装置における多彩な映像表現に寄与することとなる。例えば後出の図８Ａ，８Ｂに示した輝度分布を有する導光板であれば、その導光板を含む発光装置１０を表示装置に使用した場合、画面中央領域を明るくし、目立たせることが可能になる。また、後出の図９Ａ，９Ｂに示した輝度分布を有する導光板であれば、その導光板を含む発光装置１０を表示装置に使用した場合、画面周辺領域を明るくし、目立たせることが可能になる。さらに上記の図８Ａ，８Ｂに示した輝度分布を有する導光板と図９Ａ，９Ｂに示した輝度分布を有する導光板とを積層して各々発光させた場合には、理想的な平坦な輝度分布を得ることも可能である。
【００２２】
（光源ユニット３Ａ，３Ｂ）
光源ユニット３Ａ，３Ｂは、それぞれ、１の光源基板３１と複数の発光素子３２とを有している（図１Ｄ参照）。光源基板３１は、導光板１の端面１３Ａ，１３Ｂと対向してＸ軸方向に伸びる板状部材である。複数の発光素子３２は、光源基板３１の表面においてＸ軸方向に並ぶように配置され、端面１３Ａ，１３Ｂに向けて光を各々発するものである。発光素子３２は、例えば端面１３Ａ，１３Ｂと直交する方向（Ｙ軸方向）の光軸を有する点光源であり、具体的には白色光を発光するＬＥＤ（Light Emitting Diode；発光ダイオード）により構成されている。光源基板３１には、各発光素子３２の駆動（点灯および消灯）を行う駆動回路８（後出の図２に示す。図１Ｄ等には示さず。）が接続されている。複数の発光素子３２は、複数（例えばｍ個）の光源ブロックＢＸ（ＢＸ１，ＢＸ２，…，ＢＸｍ−１，ＢＸｍ）のいずれかに割り当てられており、駆動回路８により光源ブロックＢＸごとに駆動（点灯および消灯）が行われるようになっている。なお、光源ユニット３Ａ，３Ｂにおける光源基板３１は、それぞれフレーム７の壁部７１Ａ，７３Ａの内面に固定されている。
【００２３】
（光源ユニット４Ａ，４Ｂ）
光源ユニット４Ａ，４Ｂは、それぞれ、１の光源基板４１と複数の発光素子４２とを有している（図１Ｅ参照）。光源基板４１は、導光板２の端面２４Ａ，２４Ｂと対向してＹ軸方向に伸びる板状部材である。複数の発光素子４２は、光源基板４１の表面においてＹ軸方向に並ぶように配置され、端面２４Ａ，２４Ｂに向けて光を各々発するものである。発光素子４２は、例えば端面２４Ａ，２４Ｂと直交する方向（Ｘ軸方向）の光軸を有する点光源であり、具体的には白色光を発光するＬＥＤにより構成されている。光源基板４１にも、各発光素子４２の駆動（点灯および消灯）を行う駆動回路８（図２に示す。図１Ｅ等には示さず。）が接続されている。複数の発光素子４２は、複数（例えばｎ個）の光源ブロックＢＹ（ＢＹ１，ＢＹ２，…，ＢＹｎ−１，ＢＹｎ）のいずれかに割り当てられており、駆動回路８により光源ブロックＢＹごとに駆動（点灯および消灯）が行われるようになっている。なお、光源ユニット４Ａ，４Ｂにおける光源基板４１は、それぞれフレーム７の壁部７２Ａ，７４Ａの内面に固定されている。
【００２４】
図２に示したように、駆動回路８は、光源ユニット３Ａ，３Ｂにおける複数（例えばｍ個）の光源ブロックＢＸ（ＢＸ１，ＢＸ２，…，ＢＸｍ−１，ＢＸｍ）、および光源ユニット４Ａ，４Ｂにおける複数（例えばｎ個）の光源ブロックＢＹ（ＢＹ１，ＢＹ２，…，ＢＹｎ−１，ＢＹｎ）の各々と接続され、光源ユニット３Ａ，３Ｂ，４Ａ，４Ｂの点灯および消灯の各動作を独立して行うようになっている。図２は、発光装置１０の回路構成の概略を表すブロック図である。
【００２５】
光学部材５は、導光板１の表面１Ａと対向して設けられ、例えば、拡散板，拡散シート，レンズフィルム，偏光分離シートなどが積層されたものである。このような光学部材５を設けることにより、導光板１，２から斜め方向にそれぞれ出射した光を正面方向に立ち上げることが可能となり、正面輝度をさらに高めることが可能となる。
【００２６】
反射部材６は、導光板２の裏面２Ｂと対向して設けられた板状またはシート状部材であり、光源ユニット３Ａ，３Ｂから導光板１へ入射したのち裏面１Ｂから漏れ出てきた光を、または光源ユニット４Ａ，４Ｂから導光板２へ入射したのち裏面２Ｂから漏れ出てきた光を、導光板１，２へ向けて戻すものである。反射部材６は、例えば、反射、拡散、散乱などの機能を有しており、これにより光源ユニット３Ａ，３Ｂおよび光源ユニット４Ａ，４Ｂからの光を効率的に利用し、正面輝度を高めることが可能となっている。
【００２７】
反射部材６は、例えば、発泡ＰＥＴ（ポリエチレンテレフタレート），銀蒸着フィルム，多層膜反射フィルム，または白色ＰＥＴにより構成されている。反射部材６に微細形状を付与する場合は、反射部材６は、熱可塑性樹脂を用いた熱プレス成型，または溶融押し出し成型などの手法で一体的に形成されていてもよいし、また、例えばＰＥＴなどからなる基材上にエネルギー線（たとえば紫外線）硬化樹脂を塗布したのち、そのエネルギー線硬化樹脂に形状を転写して形成されていてもよい。ここで、熱可塑性樹脂としては、例えば、ポリカーボネート樹脂、ＰＭＭＡ（ポリメチルメタクリレート樹脂）などのアクリル樹脂、ポリエチレンテレフタレートなどのポリエステル樹脂、ＭＳ（メチルメタクリレートとスチレンの共重合体）などの非晶性共重合ポリエステル樹脂、ポリスチレン樹脂およびポリ塩化ビニル樹脂などが挙げられる。また、エネルギー線（たとえば紫外線）硬化樹脂に形状を転写する場合は、基材はガラスであってもよい。
【００２８】
ここで、図１Ｂに示したように、Ｙ軸方向における光源ユニット３Ａと導光板１の端面１３Ａとの距離ＬＹ１は、Ｙ軸方向における光源ユニット３Ａと導光板２の側面２３Ａとの距離ＬＹ２よりも短い（ＬＹ１＜ＬＹ２）ことが望ましい。また、Ｙ軸方向における光源ユニット３Ｂと導光板１の端面１３Ｂとの距離ＬＹ３は、Ｙ軸方向における光源ユニット３Ｂと導光板２の側面２３Ｂとの距離ＬＹ４よりも短い（ＬＹ３＜ＬＹ４）ことが望ましい。距離ＬＹ１，ＬＹ３をより小さくすることで導光板１の端面１３Ａ，１３Ｂに発光素子３２をより近づけることができ、導光板１への入射効率が高まり、表面１Ａからの発光強度を向上させることができる。一方、距離ＬＹ２，ＬＹ４をより大きくすることで導光板２の側面２３Ａ，２３Ｂから発光素子３２をより遠ざけることができ、発光素子３２からの意図しない漏れ光の導光板２への進入を回避しやすくなる。
【００２９】
同様の理由から、Ｘ軸方向における光源ユニット４Ａと導光板２の端面２４Ａとの距離ＬＸ１は、Ｘ軸方向における光源ユニット４Ａと導光板１の側面１４Ａとの距離ＬＸ２よりも短い（ＬＸ１＜ＬＸ２）ことが望ましい。さらに、Ｘ軸方向における光源ユニット４Ｂと導光板２の端面２４Ｂとの距離ＬＸ３は、Ｘ軸方向における光源ユニット４Ｂと導光板１の側面１４Ｂとの距離ＬＸ４よりも短い（ＬＸ３＜ＬＸ４）ことが望ましい。距離ＬＸ１，ＬＸ３をより小さくすることで導光板２の端面２４Ａ，２４Ｂに発光素子４２をより近づけることができ、導光板２への入射効率が高まり、表面２Ａからの発光強度を向上させることができる。一方、距離ＬＸ２，ＬＸ４をより大きくすることで導光板１の側面１４Ａ，１４Ｂから発光素子４２をより遠ざけることができ、発光素子４２からの意図しない漏れ光の導光板１への進入を回避しやすくなる。
【００３０】
フレーム７は、例えば３Ａに示したように、第１から第４の部分７１〜７４が順に連結されて環状をなす部材であって、４つの隅部を含む矩形状の外縁を有するものである。フレーム７の構成材料としては、例えばアルミニウム材などの高い放熱効率を備えたものが挙げられる。第１から第４の部分７１〜７４は、それぞれ、ＸＹ平面に広がる底部７１Ｂ〜７４Ｂと、底部７１Ｂ〜７４Ｂに立設する壁部７１Ａ〜７４Ａとを有している。第１の部分７１の壁部７１Ａには光源ユニット３Ａの光源基板３１が取り付けられ、第２の部分７２の壁部７２Ａには光源ユニット４Ａの光源基板４１が取り付けられ、第３の部分７３の壁部７３Ａには光源ユニット３Ｂの光源基板３１が取り付けられ、第４の部分７４の壁部７４Ａには光源ユニット４Ｂの光源基板４１が取り付けられている。なお、フレーム７の中央部分には開口７Ｋが設けられていてもよい。ここで、フレーム７の底部７１Ｂ〜７４Ｂにおける４つの隅部ＣＲ１〜ＣＲ４の厚さＴ１は、フレーム７の底部７１Ｂ〜７４Ｂにおける隅部ＣＲ１〜ＣＲ４以外の部分の厚さＴ２よりも大きい（図３Ｂ，３Ｃ参照）。このような構成により、光源ユニット３Ａ，３Ｂ，４Ａ，４Ｂにおいて発生する熱が集中する４つの隅部ＣＲ１〜ＣＲ４での放熱性を向上させ、発光装置１０の過熱を回避することができる。なお図３Ｂは、図３Ａに示したIIIB−IIIB線に沿った矢視方向の断面図であり、図３Ｃは、図３Ａに示したIIIC−IIIC線に沿った矢視方向の断面図である。
【００３１】
［発光装置１０の作用および効果］
このように、発光装置１０では、端面１３Ａから入射した１以上の発光素子３２からの光をＹ軸方向に導光して表面１Ａから出射する導光板１と、端面２４Ａから入射した１以上の発光素子４２からの光をＸ軸方向に導光して表面２Ａから出射する導光板２とを重ね合わせるようにした。光源ユニット３Ａ，３Ｂには端面１３Ａ，１３Ｂに対向するようにＸ軸方向に並ぶ複数の発光素子３２を配置し、光源ユニット４Ａ，４Ｂには端面２４Ａ，２４Ｂに対向するようにＹ軸方向に並ぶ複数の発光素子４２を配置するようにした。このため、発光装置１０では、複数の発光素子３２のうちの一部と、複数の発光素子４２のうちの一部とを選択的に点灯させることにより、ＸＹ平面に広がる発光面のうちの一部の領域のみを発光させる（厳密には一部の領域からの出射光の輝度を、その周辺の領域からの出射光の輝度よりも高くすることができる）。また、全ての発光素子３２を点灯すると共に全ての発光素子４２を点灯することにより全面発光を行うこともできる。なお、導光板１および導光板２のうちのいずれか一方のみを使用する（発光させる）ようにしてもよい。
【００３２】
より具体的には、発光装置１０では、駆動回路８により任意の光源ブロックを任意のタイミングで点灯させることで、ＸＹ平面に広がる発光面内における任意の領域の輝度を選択的に高めることができる。すなわち、例えば図４にマトリックス状に配列された複数の領域ＡＲ(m,n)のうち、選択した任意の１以上の領域ＡＲ(m,n)を任意のタイミングで発光させることができる。
【００３３】
図４は、発光装置１０のある動作状態を表す説明図である。図４では、発光装置１０のＸＹ平面に広がる発光面を、Ｘ軸方向に８分割すると共にＹ軸方向に４分割した例を表している。すなわち、光源ユニット３Ａ，３Ｂにおける複数の発光素子３２をそれぞれ８個の光源ブロックＢＸ（ＢＸ１〜ＢＸ８）に割り付けると共に、光源ユニット４Ａ，４Ｂにおける複数の発光素子４２をそれぞれ４個の光源ブロックＢＹ（ＢＹ１〜ＢＹ４）に割り付けるようにした。これにより、発光装置１０の発光面を３２（＝８×４）個の領域ＡＲ(m,n)に分割し、各々の領域ＡＲm,nを個別に発光させることができる。例えば図４では、光源ユニット３Ｂのうち光源ブロックＢＸ４に属する発光素子３２を点灯させると共に光源ユニット４Ｂのうち光源ブロックＢＹ２に属する発光素子４２を点灯させている。
【００３４】
その結果、図５Ａおよび図５Ｂに示したように、領域ＡＲ(4,2)がその周辺の領域ＡＲよりも高い輝度の光を発することとなる。すなわち、発光装置１０からの出射光の輝度ピークが領域ＡＲ(4,2)に存在する状態となる。なお、図５Ａは図４に示した動作状態に対応した発光面内の輝度分布を表す特性図であり、Ｚ軸方向から眺めた状態を表している。図５Ｂも図５Ａと同様、図４に示した動作状態に対応した発光面内の輝度分布を表す特性図（シミュレーション結果）であるが、斜め方向から眺めた状態を表している。図５Ａおよび図５Ｂにおいて、数値が高いほど輝度が高いことを意味する。但し、図４，図５Ａおよび図５Ｂの例では、Ｘ軸方向およびＹ軸方向のそれぞれにおいて片側のみから光を入射するようにした。すなわち導光板１の端面１３Ａおよび端面１３Ｂのうち端面１３Ｂのみから発光素子３２の光を入射し、導光板２の端面２４Ａおよび端面２４Ｂのうち端面２４Ｂのみから発光素子４２の光を入射するようにした。よって、発光面内での輝度分布にやや偏り（非対称性）が生じている。すなわち、例えばＸ軸方向における端面２４Ｂと領域ＡＲ(4,2)との間の領域ＡＲ(1,2)，領域ＡＲ(2,2)および領域ＡＲ(3,2)の輝度は、領域ＡＲ(4,2)と端面２４Ａとの間の領域ＡＲ(5,2)，領域ＡＲ(6,2) ，領域ＡＲ(7,2)および領域ＡＲ(8,2)の輝度よりも高くなる。
【００３５】
これに対し、例えば図６に示したように、端面１３Ａおよび端面１３Ｂの双方から導光板１に発光素子３２の光を入射すると共に、端面２４Ａおよび端面２４Ｂの双方から導光板２に発光素子４２の光を入射するとよい。そうすることにより、例えば図７Ａおよび図７Ｂに示したように、発光面内での輝度分布の偏りは緩和され、輝度分布の対称性が向上する。また、領域ＡＲ(4,2)に対し２倍の数の発光素子３２，４２の光が入射されることになるので、領域ＡＲ(4,2)からの出射光の強度も、図５Ａおよび図５Ｂの場合よりも向上する。なお、図７Ａおよび図７Ｂにおける数値は図５Ａおよび図５Ｂと同じ基準で規格化したものであり、数値が高いほど輝度が高いことを意味する。
【００３６】
このように、発光装置１０によれば、駆動回路８によって光源ブロックＢＸ，ＢＹごとの選択的な点灯動作（部分駆動）を行うことにより、発光面内においてマトリックス状に分割された複数の領域ＡＲ(m,n)のうち、任意の領域ＡＲ(m,n)の輝度を制御することができる。このため、この発光装置１０は、いわゆるエッジ型の発光装置でありながら、発光面内における明部と暗部とのコントラスト比を向上させ、優れた発光性能を発揮することができる。
【００３７】
また、発光装置１０では、導光板１の裏面１Ｂおよび導光板２の裏面２Ｂにそれぞれ散乱構造１２，２２を設け、それらの散乱構造１２と散乱構造２２とが互いに重畳するようにした。このため、例えば散乱構造１２における散乱剤の印刷パターンと、散乱構造２２における散乱剤の印刷パターンとを適宜調整することにより、導光板１および導光板２から出射される出射光の輝度分布を適宜変更することができる。
【００３８】
例えば、図８Ａ，８Ｂは、散乱剤のドットの面内密度を発光面中央領域において最も高くし、発光面の周縁に向かうほど低くするようにした印刷パターンからなる散乱構造１２の例を表している。この場合、全ての発光素子３２を点灯させると、図８Ａ，８Ｂに示したように、印刷された散乱剤のドットの面内密度が高い中央領域において最も輝度レベルが高く（ＢＬｖ１０）、発光面の周縁に向かうほど輝度レベルが低下する（ＢＬｖ９〜ＢＬｖ１）輝度分布が得られる。なお、図８Ａ，８Ｂは導光板１のみからの出射光の輝度分布を表すシミュレーション結果である。
【００３９】
一方、図９Ａ，９Ｂは、散乱剤のドットの面内密度を発光面の四隅近傍の領域において最も高くし、発光面の中央領域に向かうほど低くするようにした印刷パターンからなる散乱構造２２の例を表している。この場合、全ての発光素子４２を点灯させると、図９Ａ，９Ｂに示したように、印刷された散乱剤のドットの面内密度が高い四隅近傍の領域において最も輝度レベルが高く（ＢＬｖ１０）、発光面の中央領域に向かうほど輝度レベルがやや低下する（ＢＬｖ９〜ＢＬｖ８）輝度分布が得られる。なお、図９Ａ，９Ｂは導光板２のみからの出射光の輝度分布を表すシミュレーション結果である。
【００４０】
図８Ａに示した散乱構造１２を有する導光板１と、図９Ａに示した散乱構造２２を有する導光板２とを重ね合わせた発光装置１０全体での輝度分布（全面発光時）は、図１０Ａおよび図１０Ｂに示したように、より平坦性の高いものとなる。
【００４１】
このように、発光装置１０では、図８Ａの散乱構造１２を有する導光板１のみを全面発光させれば図８Ｂに示した輝度分布が得られ、図９Ａの散乱構造２２を有する導光板２のみを全面発光させれば図９Ｂに示した輝度分布が得られ、それらの導光板１および導光板２の双方を全面発光させれば図１０Ａ，１０Ｂの輝度分布が得られる。ここで、散乱構造１２，２２の各印刷パターンを適宜調整することにより、様々な輝度分布を形成することができる。そのような発光装置１０を例えば表示装置に搭載した場合、その表示装置における多彩な映像表現が実現される。また、この発光装置１０を用いた照明装置によれば、対象物に対し、選択的に、より均質な照明を行うことができる。
【００４２】
＜２．第１の実施の形態の第１変形例＞
［発光装置１０Ａの構成および作用効果］
上記実施の形態では、導光板１をＹ軸方向において挟むように１対の光源ユニット３Ａ，３Ｂを設けると共に、導光板２をＸ軸方向において挟むように１対の光源ユニット４Ａ，４Ｂを設けるようにした。これにより、より大型の発光面であっても発光面全体に亘って各領域ＡＲの輝度を調整することができる。これに対し、本変形例は比較的小型の発光面を有する発光装置１０Ａである。図１１に示したように、発光装置１０Ａは、導光板１に対して１つの光源ユニット３Ａのみを設け、導光板２に対して１つの光源ユニット４Ａのみを設けるようにしたものである。この場合でも発光面全体に亘って各領域ＡＲの輝度を調整することができる。但し、上下方向および左右方向における非対称性を緩和するため、散乱構造１２，２２を形成する印刷パターンのドットの面内密度を調整するとよい。すなわち、光源ユニット３Ａ，４Ａにそれぞれ近い領域ＡＲのドットの面内密度よりも遠い領域ＡＲにおけるドットの面内密度を距離に応じて徐々に高くするとよい。
【００４３】
＜３．第２の実施の形態＞
図１２は、本技術の第２の実施の形態に係る表示装置１０１の外観を表したものである。この表示装置１０１は、発光装置１０を備え、例えば薄型テレビジョン装置として用いられるものであり、画像表示のための平板状の本体部１０２をスタンド１０３により支持した構成を有している。なお、表示装置１０１は、スタンド１０３を本体部１０２に取付けた状態で、床，棚または台などの水平面に載置して据置型として用いられるが、スタンド１０３を本体部１０２から取り外した状態で壁掛型として用いることも可能である。
【００４４】
図１３は、図１２に示した本体部１０２を分解して表したものである。本体部１０２は、例えば、前面側（視聴者側）から、前部外装部材（ベゼル）１１１，パネルモジュール１１２および後部外装部材（リアカバー）１１３をこの順に有している。前部外装部材１１１は、パネルモジュール１１２の前面周縁部を覆う額縁状の部材であり、下方には一対のスピーカー１１４が配置されている。パネルモジュール１１２は前部外装部材１１１に固定され、その背面には電源基板１１５および信号基板１１６が実装されると共に取付金具１１７が固定されている。取付金具１１７は、壁掛けブラケットの取付、基板等の取付およびスタンド１０３の取付のためのものである。後部外装部材１１３は、パネルモジュール１１２の背面および側面を被覆している。
【００４５】
図１４は、図１３に示したパネルモジュール１１２を分解して表したものである。パネルモジュール１１２は、例えば、前面側（視聴者側）から、前部筐体（トップシャーシ）１２１，液晶パネル１２２，枠状部材（ミドルシャーシ）８０，光学部材５，導光板１，導光板２，光源ユニット３Ａ，光源ユニット３Ｂ，光源ユニット４Ａ，光源ユニット４Ｂ，反射部材６，駆動回路８（図示せず），後部筐体（バックシャーシ）１２４およびタイミングコントローラ基板１２７をこの順に有している。
【００４６】
前部筐体１２１は、液晶パネル１２２の前面周縁部を覆う枠状の金属部品である。液晶パネル１２２は、例えば、液晶セル１２２Ａと、ソース基板１２２Ｂと、これらを接続するＣＯＦ（Chip On Film）などの可撓性基板１２２Ｃとを有している。枠状部材８０は、液晶パネル１２２および光学部材５を保持する枠状の樹脂部品である。後部筐体１２４は、液晶パネル１２２，枠状部材８０および発光装置１０を収容する、鉄（Ｆｅ）もしくはアルミニウム等よりなる金属部品である。タイミングコントローラ基板１２７もまた、後部筐体１２４の背面に実装されている。
【００４７】
この表示装置１０１では、発光装置１０からの光が液晶パネル１２２により選択的に透過されることにより、画像表示が行われる。ここでは、第１の実施の形態で説明したように、面内の輝度分布の制御性が向上した発光装置１０を備えているので、表示装置１０１の表示品質が向上する。なお、表示装置１０１に、発光装置１０Ａを搭載してもよい。
【００４８】
＜４．表示装置の適用例＞
以下、上記のような表示装置１０１の電子機器への適用例について説明する。電子機器としては、例えばテレビジョン装置，デジタルカメラ，ノート型パーソナルコンピュータ、携帯電話等の携帯端末装置あるいはビデオカメラ等が挙げられる。言い換えると、上記表示装置は、外部から入力された映像信号あるいは内部で生成した映像信号を、画像あるいは映像として表示するあらゆる分野の電子機器に適用することが可能である。
【００４９】
図１５Ａは、上記実施の形態の表示装置１０１が適用されるタブレット型端末装置の外観を表したものである。図１５Ｂは、上記実施の形態の表示装置１０１が適用される他のタブレット型端末装置の外観を表したものである。これらのタブレット型端末装置は、いずれも、例えば表示部２１０および非表示部２２０を有しており、この表示部２１０が上記実施の形態の表示装置１０１により構成されている。
【００５０】
＜５．照明装置の適用例＞
図１６および図１７は、上記実施の形態の発光装置１０，１０Ａが適用される卓上用の照明装置の外観を表したものである。この照明装置は、例えば、基台８４１に設けられた支柱８４２に、照明部８４３を取り付けたものであり、この照明部８４３は、上記第１の実施の形態に係る発光装置１０，１０Ａにより構成されている。照明部８４３は、導光板１，２や光学部材５，反射部材６などを湾曲形状とすることにより、図１６に示した筒状、または図１７に示した曲面状など、任意の形状とすることが可能である。
【００５１】
図１８は、上記実施の形態の発光装置１０，１０Ａが適用される室内用の照明装置の外観を表したものである。この照明装置は、例えば、上記実施の形態に係る発光装置１０，１０Ａにより構成された照明部８４４を有している。照明部８４４は、建造物の天井８５０Ａに適宜の個数および間隔で配置されている。なお、照明部８４４は、用途に応じて、天井８５０Ａに限らず、壁８５０Ｂまたは床（図示せず）など任意の場所に設置することが可能である。
【００５２】
これらの照明装置では、発光装置１０からの光により、照明が行われる。ここでは面内の輝度分布の均質性が向上した発光装置１０を備えているので、照明品質が向上する。
【００５３】
以上、実施の形態、変形例および実験例を挙げて本開示を説明したが、本開示は上記実施の形態等に限定されるものではなく、種々の変形が可能である。例えば導光板１と導光板２との積層順序は図１Ａなどに示したものと逆であってもよい。
【００５４】
また、各図に示した各構成要素の寸法および寸法比や形状は一例であって本開示がこれに限定されるものではない。
【００５５】
また、例えば、上記実施の形態では、発光素子３２，４２がＬＥＤである場合について説明したが、発光素子３２，４２は半導体レーザ等により構成されていてもよい。
【００５６】
さらに、例えば、上記実施の形態等において発光装置１０および表示装置１０１（テレビジョン装置）の構成を具体的に挙げて説明したが、全ての構成要素を備える必要はなく、また、他の構成要素を備えていてもよい。
【００５７】
なお、本明細書中に記載された効果はあくまで例示であってその記載に限定されるものではなく、他の効果があってもよい。また、本技術は以下のような構成を取り得るものである。
（１）
第１の方向に並ぶと共に第１の光をそれぞれ発する複数の第１の発光部と、
前記第１の方向に沿って延在し前記第１の発光部に対向する第１の端面と、第１の表面とを含み、前記第１の端面から入射する前記第１の光の一部を、前記第１の端面から遠ざかる第２の方向に沿って導くと共に前記第１の表面から出射する第１の導光板と、
前記第２の方向に並ぶと共に第２の光をそれぞれ発する複数の第２の発光部と、
前記第２の方向に沿って延在し前記第２の発光部に対向する第２の端面と、第２の表面とを含み、前記第２の端面から入射する前記第２の光の一部を、前記第１の方向に沿って導くと共に前記第２の表面から出射する第２の導光板と
を有し、
前記第１の表面と前記第２の表面とが互いに重畳するように、前記第１の導光板と前記第２の導光板とが積層されている
発光装置。
（２）
前記第１の導光板は、前記第１の表面と対向すると共に前記第１の光の他の一部が散乱される第１の散乱構造を有する第１の裏面をさらに含み、
前記第２の導光板は、前記第２の表面と対向すると共に前記第２の光の他の一部が散乱される第２の散乱構造を有する第２の裏面をさらに含み、
前記第１の散乱構造と前記第２の散乱構造とが互いに重畳するように、前記第１の導光板と前記第２の導光板とが積層されている
上記（１）に記載の発光装置。
（３）
前記第１の散乱構造により形成される第１の散乱光の輝度分布と、前記第２の散乱構造により形成される第２の散乱光の輝度分布とが互いに異なる
上記（２）に記載の発光装置。
（４）
前記第１の発光部の点灯および消灯と、前記第２の発光部の点灯および消灯とを独立して行う駆動回路をさらに有する
上記（１）から（３）のいずれか１つに記載の発光装置。
（５）
前記第１の方向に並ぶと共に第３の光をそれぞれ発する複数の第３の発光部をさらに有し、
前記第１の導光板は、前記第１の端面と反対側に位置すると共に前記第３の発光部と対向する第３の端面をさらに含み、前記第３の端面から入射する前記第３の光の一部を、前記第２の方向に沿って導くと共に前記第１の表面から出射する
上記（１）から（４）のいずれか１つに記載の発光装置。
（６）
前記第２の方向に並ぶと共に第４の光をそれぞれ発する複数の第４の発光部をさらに有し、
前記第２の導光板は、前記第２の端面と反対側に位置すると共に前記第４の発光部と対向する第４の端面をさらに含み、前記第４の端面から入射する前記第４の光の一部を、前記第１の方向に沿って導くと共に前記第２の表面から出射する
上記（５）に記載の発光装置。
（７）
前記第１の導光板は、前記第１の表面と対向すると共に前記第１の光の他の一部および前記第３の光の他の一部が散乱される第１の散乱構造を有する第１の裏面をさらに含み、
前記第２の導光板は、前記第２の表面と対向すると共に前記第２の光の他の一部および前記第４の光の他の一部が散乱される第２の散乱構造を有する第２の裏面をさらに含み、
前記第１の散乱構造と前記第２の散乱構造とが互いに重畳するように、前記第１の導光板と前記第２の導光板とが積層されている
上記（６）に記載の発光装置。
（８）
前記第１の散乱構造により形成される第１の散乱光の輝度分布と、前記第２の散乱構造により形成される第２の散乱光の輝度分布とが互いに異なる
上記（７）に記載の発光装置。
（９）
前記第１から第４の発光部の点灯および消灯を独立して行う駆動回路をさらに有する
上記（６）から（８）のいずれか１つに記載の発光装置。
（１０）
前記第１の表面と対向するように配置された光散乱部材をさらに有する
上記（２）に記載の発光装置。
（１１）
前記第２の裏面と対向するように配置された光反射部材をさらに有する
上記（１０）に記載の発光装置。
（１２）
前記第１の表面には、前記第２の方向に伸びる第１の円柱面を含む第１のシリンドリカルレンズが前記第１の方向に複数並んでおり、
前記第２の表面には、前記第１の方向に伸びる第２の円柱面を含む第２のシリンドリカルレンズが前記第２の方向に複数並んでいる
上記（１）から（１１）のいずれか１つに記載の発光装置。
（１３）
前記第２の方向における前記第１の発光部と前記第１の導光板との第１の距離は、前記第２の方向における前記第１の発光部と前記第２の導光板との第２の距離よりも短く、
前記第２の方向における前記第３の発光部と前記第１の導光板との第３の距離は、前記第２の方向における前記第３の発光部と前記第２の導光板との第４の距離よりも短く、
前記第１の方向における前記第２の発光部と前記第２の導光板との第５の距離は、前記第１の方向における前記第２の発光部と前記第１の導光板との第６の距離よりも短く、
前記第１の方向における前記第４の発光部と前記第２の導光板との第７の距離は、前記第１の方向における前記第４の発光部と前記第１の導光板との第８の距離よりも短い
上記（６）から（１３）のいずれか１つに記載の発光装置。
（１４）
前記第１の発光部が取り付けられる第１の部分と、前記第２の発光部が取り付けられる第２の部分と、前記第３の発光部が取り付けられる第３の部分と、前記第４の発光部が取り付けられる第４の部分とが順に連結されて４つの隅部を含む矩形状をなすフレームをさらに有し、
前記フレームにおける前記隅部の厚さは、前記フレームにおける前記隅部以外の部分の
厚さよりも大きい
上記（１）から（１３）のいずれか１つに記載の発光装置。
（１５）
液晶パネルと、前記液晶パネルの背面側の発光装置とを備え、
前記発光装置は、
第１の方向に並んで第１の光をそれぞれ発する複数の第１の発光部と、
前記第１の方向に沿って延在し前記第１の発光部に対向する第１の端面と、第１の表面とを含み、前記第１の端面から入射する前記第１の光の一部を、前記第１の端面から遠ざかる第２の方向に沿って導くと共に前記第１の表面から出射する第１の導光板と、
前記第２の方向に並んで第２の光をそれぞれ発する複数の第２の発光部と、
前記第２の方向に沿って延在し前記第２の発光部に対向する第２の端面と、第２の表面とを含み、前記第２の端面から入射する前記第２の光の一部を、前記第１の方向に沿って導くと共に前記第２の表面から出射する第２の導光板と
を有し、
前記第１の表面と前記第２の表面とが互いに重畳するように、前記第１の導光板と前記第２の導光板とが積層されている
表示装置。
（１６）
発光装置を備え、
前記発光装置は、
第１の方向に並んで第１の光をそれぞれ発する複数の第１の発光部と、
前記第１の方向に沿って延在し前記第１の発光部に対向する第１の端面と、第１の表面とを含み、前記第１の端面から入射する前記第１の光の一部を、前記第１の端面から遠ざかる第２の方向に沿って導くと共に前記第１の表面から出射する第１の導光板と、
前記第２の方向に並んで第２の光をそれぞれ発する複数の第２の発光部と、
前記第２の方向に沿って延在し前記第２の発光部に対向する第２の端面と、第２の表面とを含み、前記第２の端面から入射する前記第２の光の一部を、前記第１の方向に沿って導くと共に前記第２の表面から出射する第２の導光板と
を有し、
前記第１の表面と前記第２の表面とが互いに重畳するように、前記第１の導光板と前記第２の導光板とが積層されている
照明装置。
【００５８】
本出願は、日本国特許庁において２０１５年１０月１９日に出願された日本特許出願番号２０１５−２０５５９８号を基礎として優先権を主張するものであり、この出願のすべての内容を参照によって本出願に援用する。
【００５９】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１Ａ】
2017068845.tif 000003
【図１Ｂ】
2017068845.tif 000004
【図１Ｃ】
2017068845.tif 000005
【図１Ｄ】
2017068845.tif 000006
【図１Ｅ】
2017068845.tif 000007
【図１Ｆ】
2017068845.tif 000008
【図２】
2017068845.tif 000009
【図３Ａ】
2017068845.tif 000010
【図３Ｂ】
2017068845.tif 000011
【図３Ｃ】
2017068845.tif 000012
【図４】
2017068845.tif 000013
【図５Ａ】
2017068845.tif 000014
【図５Ｂ】
2017068845.tif 000015
【図６】
2017068845.tif 000016
【図７Ａ】
2017068845.tif 000017
【図７Ｂ】
2017068845.tif 000018
【図８Ａ】
2017068845.tif 000019
【図８Ｂ】
2017068845.tif 000020
【図９Ａ】
2017068845.tif 000021
【図９Ｂ】
2017068845.tif 000022
【図１０Ａ】
2017068845.tif 000023
【図１０Ｂ】
2017068845.tif 000024
【図１１】
2017068845.tif 000025
【図１２】
2017068845.tif 000026
【図１３】
2017068845.tif 000027
【図１４】
2017068845.tif 000028
【図１５Ａ】
2017068845.tif 000029
【図１５Ｂ】
2017068845.tif 000030
【図１６】
2017068845.tif 000031
【図１７】
2017068845.tif 000032
【図１８】
2017068845.tif 000033
【国際調査報告】
2017068845.tif 000034
2017068845.tif 000035
2017068845.tif 000036
2017068845.tif 000037